【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
嵌合端部およびケーブル挿入端部を有する第１外部ハウジングと該第１外部ハウジング内に取り外し可能に取り付けられた第１内部ハウジングとを含み、該第１内部ハウジングが共に取り外し可能に取り付けられた２つの内部ハウジング半体から形成される、第１ハイブリッドファイバ／銅線コネクタと、
前記第１ハイブリッドファイバ／銅線コネクタの嵌合端部に嵌合して適合する嵌合端部およびケーブル挿入端部を有する第２外部ハウジングと該第２外部ハウジング内に取り外し可能に取り付けられた第２内部ハウジングとを含み、該第２内部ハウジングが共に取り外し可能に取り付けられた２つの内部ハウジング半体から形成される、第２ハイブリッドファイバ／銅線コネクタと、
を備え、
前記第１ハイブリッドファイバ／銅線コネクタは、前記嵌合端部に隣接する前記第１内部ハウジング半体の一方の内に取り外し可能に取り付けられた少なくとも１つの光ファイバアダプタと、前記第１内部ハウジング半体の他方内に固定された電気ピンと、前記嵌合端部に隣接する前記第１内部ハウジング内に取り外し可能に取り付けられた導体マウントにより支えられる少なくとも１つの電気ピンとを含み、該取り外し可能に取り付けられた導体マウントの電気ピンは前記第１内部ハウジング半体の他方内に固定された前記電気ピンと電気的接触するように構成され、
前記第２ハイブリッドファイバ／銅線コネクタは、前記嵌合端部に隣接する前記第２内部ハウジング半体の一方の内に取り外し可能に取り付けられた少なくとも１つの光ファイバコネクタと前記第２内部ハウジング半体の他方内に固定された電気ピンと、該嵌合端部に隣接する該第２内部ハウジング内に取り外し可能に取り付けられた導体マウントにより支えられる少なくとも１つの電気ピン導体とを含み、該取り外し可能に取り付けられた導体マウントの電気ピンは前記第２内部ハウジング半体の他方内に固定された前記電気ピンと電気的接触するように構成され、
前記第２ハイブリッドファイバ／銅線コネクタの光ファイバコネクタは、前記第１ハイブリッドファイバ／銅線コネクタの光ファイバアダプタに嵌合するように構成され、前記第２ハイブリッドファイバ／銅線コネクタの導体マウントに取り外し可能に取り付けられることにより支えられる前記電気ピン導体は、前記第１ハイブリッドファイバ／銅線コネクタにおける取り外し可能に取り付けられた導体マウントにより支えられる電気ピン導体に電気的に結合するように適合される、
ことを特徴とするハイブリッドファイバ／銅コネクタアセンブリ。
【請求項２】
第２ハイブリッドファイバ／銅線コネクタの導体マウントに取り外し可能に取り付けられた導体マウントにより支えられた電気ピン導体が、第１および２ハイブリッドファイバ／銅線コネクタの固定された電気ピンを介して、第１ハイブリッドファイバ／銅線コネクタに取り外し可能に取り付けられた導体マウントにより支えられた電気ピン導体に電気的に結合する、
請求項１に記載のコネクタアセンブリ。
【請求項３】
前記光ファイバコネクタはＬＸ５形式コネクタである、
請求項１に記載のコネクタアセンブリ。
【請求項４】
第１および第２ハイブリッドファイバ／銅線コネクタの各々は、２つの光ファイバ端末および４つの電気端末を受け入れるように構成されている、
請求項１に記載のコネクタアセンブリ。
【請求項５】
第１および第２ハイブリッドファイバ／銅線コネクタの取り外し可能に取り付けられた導体マウントは、同一に構成される、
請求項１に記載のコネクタアセンブリ。
【請求項６】
第１および２ハイブリッドファイバ／銅線コネクタの各々はケーブル強度部材クランプを含む、
請求項１に記載のコネクタアセンブリ。
【請求項７】
第１および２ハイブリッドファイバ／銅線コネクタの各々は前記外部ハウジングのケーブル挿入端部に嵌合するように適合された終端キャップを含み、該終端キャップはケーブルを受け入れる貫通孔を有するケーブルクランプであって一度前記終端キャップの穴を介して受け入れられた該外部ハウジングへの該ケーブルを放射状にクランプするように構成されたケーブルクランプを含む、
請求項１に記載のコネクタアセンブリ。
【請求項８】
第２ハイブリッドファイバ／銅線コネクタの前記外側ハウジングは縦方向に滑り、第１ハイブリッドファイバ／銅線コネクタの外側ハウジングを第２ハイブリッドファイバ／銅線コネクタに対しロックするスライディングリングを含む、
請求項１に記載のコネクタアセンブリ。
【請求項９】
第１ハイブリッドファイバ／銅線コネクタの前記外側ハウジングは周囲に配置され、第２ハイブリッドファイバ／銅線コネクタの外側ハウジングに適合するようにロックするボールベアリングを含む、
請求項１に記載のコネクタアセンブリ。
【請求項１０】
前記第１セグメントおよび第２ハイブリッドファイバ／銅線コネクタの各々の前記内部ハウジングの半体は上面を定義する、光ファイバアダプタ、光ファイバコネクタまたは取り外し可能に取り付けられた導体マウントが該内部ハウジングの半体に取り付けられ、光ファイバアダプタ、光ファイバコネクタまたは取り外し可能に取り付けられた導体マウントの何れもが該内部ハウジングの半体の上面を通過して突き出ない、
請求項１に記載のコネクタアセンブリ。
【請求項１１】
前記光ファイバアダプタは複式アダプタである、
請求項１に記載のコネクタアセンブリ。
【請求項１２】
嵌合端部とケーブル挿入端部とを有する第１外部ハウジングおよび該第１外部ハウジング内に取り外し可能に取り付けられ共に取り外し可能に取り付けられた２つの内部ハウジングから形成された第１内部ハウジングと、
前記嵌合端部に隣接する前記第１内部ハウジングの半体の一方の内に取り外し可能に取り付けられた少なくとも１つの光ファイバアダプタと、
前記第１内部ハウジング半体の他方内に固定された電気ピンと、
前記嵌合端部に隣接する前記第１内部ハウジング内に取り外し可能に取り付けられた導体マウントにより支えられる少なくとも１つの電気ピンであって、該取り外し可能な導体マウントの電気ピンは前記第１内部ハウジング半体の他方内に固定された前記電気ピンに電気的に接触するように構成された電気ピンと、
を備えることを特徴とするハイブリッドファイバ／銅線コネクタ。
【請求項１３】
前記光ファイバアダプタはＬＸ５形式光ファイバコネクタを受け入れるように構成される、
請求項１２に記載のコネクタ。
【請求項１４】
前記ハイブリッドファイバ／銅線コネクタは２つの光ファイバ端末と４つの電気的端末とを受け入れるように構成される、
請求項１２に記載のコネクタ。
【請求項１５】
ケーブル強度部材クランプを有する、
請求項１２に記載のコネクタ。
【請求項１６】
嵌合端部とケーブル挿入端部とを有する第１外側ハウジングおよび該第１外部ハウジング内に取り外し可能に取り付けられた第１内部ハウジングであって共に取り外し可能に取り付けられた２つの内部ハウジング半体から形成される第１内部ハウジングと、
前記嵌合端部に隣接する前記第１内部ハウジング半体の一方の内に取り外し可能に取り付けられた少なくとも１つの光ファイバコネクタと、
前記第１内部ハウジング半体の他方内に固定された電気ピンと、
前記嵌合端部に隣接する前記第１内部ハウジング内に取り外し可能に取り付けられた導体マウントにより支えられる少なくとも１つの電気ピンであって、該取り外し可能な導体マウントの電気ピンは前記第１内部ハウジング半体の他方内に固定された前記電気ピンに電気的に接触するように構成された電気ピンと、
を備えることを特徴とするハイブリッドファイバ／銅線コネクタ。
【請求項１７】
前記光ファイバコネクタはＬＸ５形式光ファイバコネクタである、
請求項１６に記載のコネクタ。
【請求項１８】
前記ハイブリッドファイバ／銅線コネクタは２つの光ファイバ端末と４つの電気的端末とを受け入れるように構成される、
請求項１６に記載のコネクタ。
【請求項１９】
ケーブル強度部材クランプをさらに含む、
請求項１６に記載のコネクタ。
【請求項２０】
嵌合端部とケーブル挿入端部を有する第１外部ハウジングと該第１外部ハウジング内に取り外し可能に取り付けられた第１内部ハウジングとを提供するステップと、
前記第１外部ハウジングから前記第１内部ハウジングを取り外すステップと、
前記第１内部ハウジング内から光ファイバアダプタを取り外すステップと、
前記アダプタから光ファイバコネクタを取り外すステップと、
電気ピンを有する導体マウントを前記第１内部ハウジング内に固定された電気ピンとの電気的接触部から取り外すステップと、
嵌合端部とケーブル挿入端部を有する第２外部ハウジングおよび該第２外部ハウジング内に取り外し可能に取り付けられた第２内部ハウジングとを提供するステップと、
前記光ファイバコネクタを前記第２内部ハウジングに取り付けるステップと、
前記第２内部ハウジング内に固定された電気ピンと電気的に接触するため該第２内部ハウジング内に電気ピンを有する導体マウントを取り付けるステップと、
を備えることを特徴とするハイブリッドファイバ／銅線コネクタを組み立てる方法。
【請求項２１】
嵌合端部とケーブル挿入端部を有する第１外部ハウジングと該第１外部ハウジング内に取り外し可能に取り付けられた第１内部ハウジングとを提供するステップと、
前記第１外部ハウジングから前記第１内部ハウジングを取り外すステップと、
第１光ファイバコネクタを前記内部ハウジング内から取り外すステップと、
電気ピンを有する導体マウントを前記第１内部ハウジング内に固定された電気ピンとの電気的接触部から取り外すステップと、
嵌合端部とケーブル挿入端部を有する第２外部ハウジングおよび該第２外部ハウジング内に取り外し可能に取り付けられた第２内部ハウジングとを提供するステップと、
第１光ファイバアダプタを前記第２内部ハウジングに取り付けるステップと、
前記光ファイバコネクタを前記第２内部ハウジング内の光ファイバアダプタに取り付けるステップと、
前記第２内部ハウジング内に固定された電気ピンと電気的に接触するため該第２内部ハウジング内に電気ピンを有する導体マウントを取り付けるステップと、
を備えることを特徴とするハイブリッドファイバ／銅線コネクタを組み立てる方法。
【請求項２２】
嵌合端部とケーブル挿入端部を有する第１外部ハウジングと該第１外部ハウジング内に取り外し可能に取り付けられた第１内部ハウジングを含む第１ファイバコネクタであって、該第１内部ハウジングは共に取り外し可能に取り付けられた２つの内部ハウジング半体から形成される、第１ファイバコネクタと、
前記第１ファイバコネクタの嵌合端部と嵌合するように適合された嵌合端部とケーブル挿入端部を有する第２外部ハウジングを含む第２ファイバコネクタであって、該第２ファイバコネクタは該第２外部ハウジング内に取り外し可能に取り付けられた第２内部ハウジングを含み、該第２内部ハウジングは共に取り外し可能に取り付けられた２つの内部ハウジング半体から形成される、第２ファイバコネクタとを備え、
前記第１ファイバコネクタは前記嵌合端部に隣接する前記第１内部ハウジング半体の各々内に取り外し可能に取り付けられた少なくとも１つの光ファイバアダプタを含み
前記第２ファイバコネクタは前記嵌合端部に隣接する前記第２内部ハウジング半体の各々内に取り外し可能に取り付けられた少なくとも１つの光ファイバコネクタを含み、
前記第２ファイバコネクタの前記光ファイバコネクタは前記第１ファイバコネクタの前記光ファイバアダプタと嵌合するように構成されるファイバコネクタアセンブリ。
【請求項２３】
前記光ファイバコネクタはＬＸ５形式コネクタである、
請求項２２に記載のコネクタアセンブリ。
【請求項２４】
前記第１および第２ファイバコネクタの各々は、４つの光ファイバ端末を受け入れるように構成されている、
請求項２２に記載のコネクタアセンブリ。
【請求項２５】
前記第１および２ファイバコネクタの各々はケーブル強度部材クランプを含む、
請求項２２に記載のコネクタアセンブリ。
【請求項２６】
前記第１および２ファイバコネクタの各々は前記外部ハウジングのケーブル挿入端部に嵌合するように適合された終端キャップを含み、該終端キャップはケーブルを受け入れる貫通孔を有するケーブルクランプであって一度前記終端キャップの穴を介して受け入れられた該外部ハウジングへの該ケーブルを放射状にクランプするように構成されたケーブルクランプを含む、
請求項２２に記載のコネクタアセンブリ。
【請求項２７】
前記第２ファイバコネクタの前記外側ハウジングは縦方向に滑り、第１ファイバコネクタの外側ハウジングを第２ファイバコネクタに対しロックするスライディングリングを含む、
請求項２２に記載のコネクタアセンブリ。
【請求項２８】
前記第１ファイバコネクタの前記外側ハウジングは、周囲に配置され、第２ファイバコネクタの外側ハウジングに適合するようにロックするボールベアリングを含む、
請求項２２に記載のコネクタアセンブリ。
【請求項２９】
前記光ファイバアダプタは複式アダプタである、
請求項２２に記載のコネクタアセンブリ。
【請求項３０】
嵌合端部とケーブル挿入端部を有する第１外部ハウジングおよび該第１外部ハウジング内に取り外し可能に取り付けられた第１内部ハウジングであって、該第１内部ハウジングは共に取り外し可能に取り付けられた２つの内部ハウジング半体から形成される、第１外部ハウジングおよび第１内部ハウジングと、
前記嵌合端部に隣接する前記第１内部ハウジング半体の各々内に取り外し可能に取り付けられた複式光ファイバアダプタとを備えるファイバコネクタ。
【請求項３１】
前記光ファイバアダプタはＬＸ５形式の光ファイバコネクタを受け入れるよう構成される請求項３０記載のコネクタ。
【請求項３２】
嵌合端部とケーブル挿入端部を有する第１外部ハウジングおよび該第１外部ハウジング内に取り外し可能に取り付けられた第１内部ハウジングであって、該第１内部ハウジングは共に取り外し可能に取り付けられた２つの内部ハウジング半体から形成される、第１外部ハウジングおよび第１内部ハウジングと、
前記嵌合端部に隣接する前記第１内部ハウジング半体の各々内に取り外し可能に取り付けられた２つの光ファイバコネクタとを備えるファイバコネクタ。
【請求項３３】
前記光ファイバコネクタはＬＸ５形式の光ファイバコネクタである請求項３２記載のコネクタ。
【請求項３４】
嵌合端部とケーブル挿入端部を有する第１外部ハウジングと該第１外部ハウジング内に取り外し可能に取り付けられた２つの内部ハウジング半体を含む第１内部ハウジングとを提供するステップと、
前記第１外部ハウジングから前記第１内部ハウジングを取り外すステップと、
前記内部ハウジング半体の各々から光ファイバアダプタを取り外すステップと、
前記アダプタの各々から２つの光ファイバコネクタを取り外すステップと、
嵌合端部とケーブル挿入端部を有する第２外部ハウジングおよび該第２外部ハウジング内に取り外し可能に取り付けられた２つの内部ハウジング半体を含む第２内部ハウジングとを提供するステップと、
前記光ファイバコネクタを前記第２内部ハウジングの内部ハウジング半体の各々に取り付けるステップと、
を備えることを特徴とするファイバコネクタを組み立てる方法。
【請求項３５】
嵌合端部とケーブル挿入端部を有する第１外部ハウジングと該第１外部ハウジング内に取り外し可能に取り付けられた２つの内部ハウジング半体を含む第１内部ハウジングとを提供するステップと、
前記第１外部ハウジングから前記第１内部ハウジングを取り外すステップと、
２つの光ファイバコネクタを前記第１内部ハウジングの内部ハウジング半体の各々から取り外すステップと、
嵌合端部とケーブル挿入端部を有する第２外部ハウジングおよび該第２外部ハウジング内に取り外し可能に取り付けられた２つの内部ハウジング半体を含む第２内部ハウジングとを提供するステップと、
複式光ファイバアダプタを前記第２内部ハウジングの内部ハウジング半体の各々に取り付けるステップと、
前記光ファイバコネクタを前記第２内部ハウジング内の光ファイバアダプタの各々に取り付けるステップと、
を備えることを特徴とするファイバコネクタを組み立てる方法。